(57)【要約】【課題】表示パネル及びバックライトのいずれかが経年変化した場合であっても、表示パネルの表示面からの発光強度を精度よく推定することができる発光強度測定方法、発光強度測定装置及びコンピュータプログラムを提供する。【解決手段】ＰＣは、所定の発光強度でバックライトを発光させ、各階調レベルに設定した場合の表示面２の周辺部の発光強度と、表示面２の中央部の発光強度とを順次検出し、これらの検出値を対応付けた相関情報を相関テーブルに予め記憶しておく。ＰＣは、液晶パネルの階調特性をキャリブレーションする場合、相関テーブルに予め記憶してある相関情報から、キャリブレーション時のバックライトの光量に応じた相関情報を生成する。そして、ＰＣは、スイングセンサ３０にて表示面２の周辺部の発光強度を検出し、検出した周辺部の発光強度と生成した相関情報とに基づいて、表示面２の中央部の発光強度を算出する。【選択図】図１
2011048100.tif 000002
【特許請求の範囲】
【請求項１】
表示パネル及びバックライトを備え、該バックライトを光源として前記表示パネルで映像を表示する表示装置の表示面からの発光強度を測定する発光強度測定方法において、
前記表示面に単一の発光強度の映像を複数順次表示させ、映像毎に、前記表示面の中央部及び周辺部の発光強度を取得する第１の取得ステップと、
該第１の取得ステップで映像毎に取得された前記表示面の中央部及び周辺部の発光強度を対応付けた対応情報を記憶する記憶ステップと、
前記対応情報の記憶後に、前記表示面の周辺部の発光強度を取得する第２の取得ステップと、
該第２の取得ステップで取得された前記表示面の周辺部の発光強度及び前記対応情報に基づいて、前記表示面の中央部の発光強度を算出する算出ステップと
を含むことを特徴とする発光強度測定方法。
【請求項２】
前記第１の取得ステップは、所定のタイミングで前記表示面に単一の発光強度の映像を複数順次表示させ、映像毎に、前記表示面の中央部及び周辺部の発光強度を取得し、
前記記憶ステップは、前記第１の取得ステップで映像毎に前記表示面の中央部及び周辺部の発光強度を取得する都度、前記対応情報を更新することを特徴とする請求項１に記載の発光強度測定方法。
【請求項３】
前記記憶ステップは、前記第１の取得ステップで前記表示面の中央部及び周辺部の発光強度を取得する際の前記バックライトの発光強度を更に記憶し、
前記第２の取得ステップで前記表示面の周辺部の発光強度を取得する際の前記バックライトの発光強度及び前記記憶ステップで記憶した前記バックライトの発光強度に基づいて、前記記憶ステップで記憶された対応情報を変更する変更ステップを更に含み、
前記算出ステップは、前記第２の取得ステップで取得された前記表示面の周辺部の発光強度及び前記変更ステップで変更された対応情報に基づいて、前記表示面の中央部の発光強度を算出することを特徴とする請求項１又は２に記載の発光強度測定方法。
【請求項４】
前記第１の取得ステップは、前記バックライトの発光強度を段階的に変更させつつ、前記表示面に単一の発光強度の映像を複数順次表示させ、前記バックライトの発光強度毎に、各映像に対応する前記表示面の中央部及び周辺部の発光強度を取得し、
前記記憶ステップは、前記バックライトの発光強度毎に、前記第１の取得ステップで各映像に対応して取得された前記表示面の中央部及び周辺部の発光強度を対応付けた対応情報を記憶し、
前記第２の取得ステップで取得する際の前記バックライトの発光強度に応じた対応情報を選択する選択ステップを更に含み、
前記算出ステップは、前記第２の取得ステップで取得された前記表示面の周辺部の発光強度及び前記選択ステップで選択された対応情報に基づいて、前記表示面の中央部の発光強度を算出することを特徴とする請求項１又は２に記載の発光強度測定方法。
【請求項５】
前記バックライトの発光強度は、前記表示面に表示される映像が単一の最大発光強度の映像である場合に前記表示面の周辺部で取得された発光強度であることを特徴とする請求項３又は４に記載の発光強度測定方法。
【請求項６】
前記バックライトの発光強度は、前記バックライトの発光量を制御する制御値であることを特徴とする請求項３又は４に記載の発光強度測定方法。
【請求項７】
前記発光強度は、輝度及び／又は色度であることを特徴とする請求項１から６までのいずれかひとつに記載の発光強度測定方法。
【請求項８】
表示パネル及びバックライトを備え、該バックライトを光源として前記表示パネルで映像を表示する表示装置の表示面からの発光強度を測定する発光強度測定装置において、
前記表示面に単一の発光強度の映像を複数順次表示させ、映像毎に、前記表示面の中央部及び周辺部の発光強度を取得する第１の取得部と、
該第１の取得部が映像毎に取得した前記表示面の中央部及び周辺部の発光強度を対応付けた対応情報を記憶する記憶部と、
前記記憶部に前記対応情報が記憶された後、前記表示面の周辺部の発光強度を取得する第２の取得部と、
該第２の取得部が取得した発光強度及び前記記憶部に記憶してある対応情報に基づいて、前記表示面の中央部の発光強度を算出する算出部と
を備えることを特徴とする発光強度測定装置。
【請求項９】
前記第１の取得部は、所定のタイミングで前記表示面に単一の発光強度の映像を複数順次表示させ、映像毎に、前記表示面の中央部及び周辺部の発光強度を取得するようにしてあり、
前記記憶部は、前記第１の取得部が映像毎に前記表示面の中央部及び周辺部の発光強度を取得する都度、前記対応情報を更新するようにしてあることを特徴とする請求項８に記載の発光強度測定装置。
【請求項１０】
前記記憶部は、前記第１の取得部が前記表示面の中央部及び周辺部の発光強度を取得する際の前記バックライトの発光強度を更に記憶する構成としてあり、
前記第２の取得部が前記表示面の周辺部の発光強度を取得する際の前記バックライトの発光強度及び前記記憶部に記憶してある前記バックライトの発光強度に基づいて、前記記憶部に記憶してある対応情報を変更する変更部を更に備え、
前記算出部は、前記第２の取得部が取得した前記表示面の周辺部の発光強度及び前記変更部が変更した対応情報に基づいて、前記表示面の中央部の発光強度を算出するようにしてあることを特徴とする請求項８又は９に記載の発光強度測定装置。
【請求項１１】
前記第１の取得部は、前記バックライトの発光強度を段階的に変更させつつ、前記表示面に単一の発光強度の映像を複数順次表示させ、前記バックライトの発光強度毎に、各映像に対応する前記表示面の中央部及び周辺部の発光強度を取得するようにしてあり、
前記記憶部は、前記バックライトの発光強度毎に、前記第１の取得部が各映像に対応して取得した前記表示面の中央部及び周辺部の発光強度を対応付けた対応情報を記憶する構成としてあり、
前記第２の取得部が取得する際の前記バックライトの発光強度に応じた対応情報を選択する選択部を更に備え、
前記算出部は、前記第２の取得部が取得した前記表示面の周辺部の発光強度及び前記選択部が選択した対応情報に基づいて、前記表示面の中央部の発光強度を算出するようにしてあることを特徴とする請求項８又は９に記載の発光強度測定装置。
【請求項１２】
コンピュータに、表示パネル及びバックライトを備えた表示装置の表示面からの発光強度を測定させるためのコンピュータプログラムにおいて、
前記コンピュータに、
前記表示面に単一の発光強度の映像を複数順次表示させた場合に、映像毎に取得された前記表示面の中央部及び周辺部の発光強度を対応付けた対応情報を生成する対応付けステップと、
前記対応情報の生成後に取得された前記表示面の周辺部の発光強度及び前記対応付けステップで生成された対応情報に基づいて、前記表示面の中央部の発光強度を算出する算出ステップと
を実行させることを特徴とするコンピュータプログラム。
【請求項１３】
前記対応付けステップは、前記対応情報に、前記表示面の中央部及び周辺部の発光強度を取得した際の前記バックライトの発光強度を更に対応付け、
前記コンピュータに、前記対応情報の生成後に前記表示面の周辺部の発光強度を取得する際の前記バックライトの発光強度及び前記対応付けステップで前記対応情報に対応付けられた前記バックライトの発光強度に基づいて、前記対応情報を変更する変更ステップを更に実行させ、
前記算出ステップは、前記対応情報の生成後に取得した前記表示面の周辺部の発光強度及び前記変更ステップで変更された対応情報に基づいて、前記表示面の中央部の発光強度を算出することを特徴とする請求項１２に記載のコンピュータプログラム。
【請求項１４】
前記対応付けステップは、前記バックライトの発光強度を段階的に変更させつつ、前記表示面に単一の発光強度の映像を複数順次表示させた場合に、前記バックライトの発光強度毎に取得された各映像に対応する前記表示面の中央部及び周辺部の発光強度を対応付けた対応情報を生成し、
前記コンピュータに、前記対応情報の生成後、前記表示面の周辺部の発光強度を取得する際の前記バックライトの発光強度に応じた対応情報を選択する選択ステップを更に実行させ、
前記算出ステップは、前記対応情報の生成後に取得した前記表示面の周辺部の発光強度及び前記選択ステップで選択された対応情報に基づいて、前記表示面の中央部の発光強度を算出することを特徴とする請求項１２に記載のコンピュータプログラム。
【発明の詳細な説明】
【技術分野】
【０００１】
本発明は、表示パネルで映像を表示する表示装置の表示面からの発光強度を測定する発光強度測定方法、発光強度測定装置及び前記発光強度測定方法をコンピュータで実現するためのコンピュータプログラムに関する。
【背景技術】
【０００２】
液晶表示装置は、一対のガラス基板の間に液晶物質を封入した液晶パネルと液晶パネルの背面に配置されたバックライトとを備え、該液晶表示装置に接続された外部のパーソナルコンピュータ（以下、ＰＣという）から映像信号が入力される。液晶表示装置に内蔵されたゲートドライバ及びソースドライバは、液晶パネルの各画素を駆動するＴＦＴのゲート及びソースに接続され、液晶表示装置に入力された映像信号に基づいて、ＴＦＴのオン・オフを制御するとともに、オンに制御されたＴＦＴに、映像信号に応じた電圧（液晶パネルへの入力レベル）を印加して、液晶物質の電気光学特性により決定される光透過率を変える。これにより、液晶表示装置は、液晶パネルを透過する光の量を画素毎に制御して画像を階調表示する。
【０００３】
液晶物質が封入されたガラス基板間の対向距離、すなわち、液晶ギャップ（液晶物質の厚み）により液晶物質の電気光学特性が決定されるため、液晶ギャップは、液晶表示装置の光透過率を決定する重要なパラメータである。液晶表示装置は、製造バラツキなどにより、液晶ギャップの設計値に対して、液晶ギャップが狭くなる画素と、広くなる画素とが混在するため、液晶パネルの光透過率が設計値からずれ、所望の階調特性が得られない場合があった。また、液晶に電圧をかけ、ねじれを発生させることによって、発光強度を調整しているが、このねじれにより正面以外の光が変化し、所謂視野角特性を悪化させる原因となっている。この正面以外の光は、特にパネルに接触させて測定する、測定角の広い安価な測定器によって悪影響となり、正確な測定が期待できない。
【０００４】
そこで、所望の階調特性を得る方法として、入力された映像信号により表現される階調レベル（階調値）と、その階調レベルに対応する液晶パネルへの入力レベルとが関連付けられたルック・アップ・テーブル（以下、ＬＵＴという）をメモリに記憶し、ＬＵＴに基づいて階調レベルを入力レベルへ変換することによって、各液晶表示装置固有の階調特性を補正し、所望の階調特性を実現するものがある。
【０００５】
しかし、液晶パネル及びバックライト等の特性は、液晶表示装置の使用に伴って経年変化する。このため、経年変化が生じている場合には、液晶表示装置の製造時又は出荷時等に記憶されたＬＵＴに基づいて階調特性を補正しても所望の階調特性を実現することができない虞がある。また、使用する用途によって、ユーザが必要とする画面の色温度や輝度、階調特性が異なる場合もある。これらの問題に対して、液晶表示装置の出荷後に、ユーザ側でＬＵＴを更新する、所謂キャリブレーションを行うことによって対処することが可能である。
【０００６】
キャリブレーションは、映像の各階調レベルに対して液晶パネルが表示する際の理想的な輝度が予め対応付けられたテーブルと、各階調レベルに対応して液晶パネルが実際に表示した場合の輝度とに基づいて、各階調レベルに対応する液晶パネルへの入力レベルを特定し、特定した入力レベルにＬＵＴを更新する処理である。従って、キャリブレーションによって精度の高いＬＵＴを生成するためには、各階調レベルに対応して液晶パネルが実際に表示した場合の輝度、即ち、液晶パネルの表示面の輝度を正確に測定できることが望ましい。
【０００７】
そこで、本願の発明者は、液晶パネルの表示面の中央部及び周辺部の輝度の相対比と高精度な視野角特性の影響を受けない測定器及び視野角特性の影響を受けやすい測定器の相対比との二つの相対比を、複数のバックライトの光量及び複数の階調レベル毎に予め記憶しておき、表示面の周辺部で検出された輝度と記憶してある相対比とに基づいて、表示面の中央部の輝度を算出する技術を提案している（特許文献１参照）。このような技術を用いることにより、バックライト及び液晶パネルの両者が任意の輝度、階調特性について経年変化した場合であっても（但し、相対比が大きく変わる現象、例えば、パネルのユニフォミティが著しく変化した場合や、センサそのものの経年劣化により感度特性が変化した場合は除く）、表示面の中央部の輝度を精度よく得ることができ、このような輝度に基づいてキャリブレーションを行った場合には精度の高いＬＵＴを生成することができる。
【先行技術文献】
【特許文献】
【０００８】
【特許文献１】特開２００７−３４２０９号公報
【発明の概要】
【発明が解決しようとする課題】
【０００９】
特許文献１で開示された技術では、映像の各階調レベルに対して、液晶パネルの表示面の中央部及び周辺部の輝度の相対比が記憶してあり、いずれかの階調レベルに対応して表示面の周辺部の輝度が得られた場合に、この階調レベルに対応する相対比と、得られた周辺部の輝度とに基づいて、表示面の中央部の輝度が算出される。
【００１０】
液晶表示装置は、上述したＬＵＴを用いた処理（ガンマ補正）のほかに、色調補正、ムラ補正などの処理を行い所望の階調特性を実現しており、また、ユーザによってカラーバランスの調整などの指示が行われた場合には、各処理で用いる補正量を適宜変更し、ユーザからの指示に応じた階調特性を実現している。
【００１１】
階調特性を変化させた場合、各階調レベルに対応する表示面の中央部及び周辺部の輝度も変化するので、表示面の中央部及び周辺部の輝度の相対比も変化する。従って、液晶表示装置が行う各処理の補正量が変更されていない状態では、予め用意された相対比を用いてキャリブレーション（ＬＵＴの更新）を行っても、表示面の中央部の輝度を精度よく測定（予測）できるので、精度の高いＬＵＴを生成できる。しかし、液晶表示装置が行う各処理の補正量が変更されているにも拘わらず、キャリブレーションを行う際に、予め用意された相対比を変更せずに用いた場合、表示面の中央部の輝度を精度よく測定（予測）できない虞がある。また、このような輝度を用いた場合、精度の高いＬＵＴを生成することはできない。
【００１２】
本発明は斯かる事情に鑑みてなされたものであり、その目的とするところは、映像信号に対して行われる各種の補正処理における補正量が変更された場合であっても、表示面の周辺部の発光強度から中央部の発光強度を精度よく推定することができる発光強度測定方法、発光強度測定装置及びコンピュータプログラムを提供することにある。
【課題を解決するための手段】
【００１３】
本発明に係る発光強度測定方法は、表示パネル及びバックライトを備え、該バックライトを光源として前記表示パネルで映像を表示する表示装置の表示面からの発光強度を測定する発光強度測定方法において、前記表示面に単一の発光強度の映像を複数順次表示させ、映像毎に、前記表示面の中央部及び周辺部の発光強度を取得する第１の取得ステップと、該第１の取得ステップで映像毎に取得された前記表示面の中央部及び周辺部の発光強度を対応付けた対応情報を記憶する記憶ステップと、前記対応情報の記憶後に、前記表示面の周辺部の発光強度を取得する第２の取得ステップと、該第２の取得ステップで取得された前記表示面の周辺部の発光強度及び前記対応情報に基づいて、前記表示面の中央部の発光強度を算出する算出ステップとを含むことを特徴とする。
【００１４】
本発明に係る発光強度測定方法は、前記第１の取得ステップは、所定のタイミングで前記表示面に単一の発光強度の映像を複数順次表示させ、映像毎に、前記表示面の中央部及び周辺部の発光強度を取得し、前記記憶ステップは、前記第１の取得ステップで映像毎に前記表示面の中央部及び周辺部の発光強度を取得する都度、前記対応情報を更新することを特徴とする。
【００１５】
本発明に係る発光強度測定方法は、前記記憶ステップは、前記第１の取得ステップで前記表示面の中央部及び周辺部の発光強度を取得する際の前記バックライトの発光強度を更に記憶し、前記第２の取得ステップで前記表示面の周辺部の発光強度を取得する際の前記バックライトの発光強度及び前記記憶ステップで記憶した前記バックライトの発光強度に基づいて、前記記憶ステップで記憶された対応情報を変更する変更ステップを更に含み、前記算出ステップは、前記第２の取得ステップで取得された前記表示面の周辺部の発光強度及び前記変更ステップで変更された対応情報に基づいて、前記表示面の中央部の発光強度を算出することを特徴とする。
【００１６】
本発明に係る発光強度測定方法は、前記第１の取得ステップは、前記バックライトの発光強度を段階的に変更させつつ、前記表示面に単一の発光強度の映像を複数順次表示させ、前記バックライトの発光強度毎に、各映像に対応する前記表示面の中央部及び周辺部の発光強度を取得し、前記記憶ステップは、前記バックライトの発光強度毎に、前記第１の取得ステップで各映像に対応して取得された前記表示面の中央部及び周辺部の発光強度を対応付けた対応情報を記憶し、前記第２の取得ステップで取得する際の前記バックライトの発光強度に応じた対応情報を選択する選択ステップを更に含み、前記算出ステップは、前記第２の取得ステップで取得された前記表示面の周辺部の発光強度及び前記選択ステップで選択された対応情報に基づいて、前記表示面の中央部の発光強度を算出することを特徴とする。
【００１７】
本発明に係る発光強度測定方法は、前記バックライトの発光強度は、前記表示面に表示される映像が単一の最大発光強度の映像である場合に前記表示面の周辺部で取得された発光強度であることを特徴とする。
【００１８】
本発明に係る発光強度測定方法は、前記バックライトの発光強度は、前記バックライトの発光量を制御する制御値であることを特徴とする。
【００１９】
本発明に係る発光強度測定方法は、前記発光強度は、輝度及び／又は色度であることを特徴とする。
【００２０】
本発明に係る発光強度測定装置は、表示パネル及びバックライトを備え、該バックライトを光源として前記表示パネルで映像を表示する表示装置の表示面からの発光強度を測定する発光強度測定装置において、前記表示面に単一の発光強度の映像を複数順次表示させ、映像毎に、前記表示面の中央部及び周辺部の発光強度を取得する第１の取得部と、該第１の取得部が映像毎に取得した前記表示面の中央部及び周辺部の発光強度を対応付けた対応情報を記憶する記憶部と、前記記憶部に前記対応情報が記憶された後、前記表示面の周辺部の発光強度を取得する第２の取得部と、該第２の取得部が取得した発光強度及び前記記憶部に記憶してある対応情報に基づいて、前記表示面の中央部の発光強度を算出する算出部とを備えることを特徴とする。
【００２１】
本発明に係る発光強度測定装置は、前記第１の取得部は、所定のタイミングで前記表示面に単一の発光強度の映像を複数順次表示させ、映像毎に、前記表示面の中央部及び周辺部の発光強度を取得するようにしてあり、前記記憶部は、前記第１の取得部が映像毎に前記表示面の中央部及び周辺部の発光強度を取得する都度、前記対応情報を更新するようにしてあることを特徴とする。
【００２２】
本発明に係る発光強度測定装置は、前記記憶部は、前記第１の取得部が前記表示面の中央部及び周辺部の発光強度を取得する際の前記バックライトの発光強度を更に記憶する構成としてあり、前記第２の取得部が前記表示面の周辺部の発光強度を取得する際の前記バックライトの発光強度及び前記記憶部に記憶してある前記バックライトの発光強度に基づいて、前記記憶部に記憶してある対応情報を変更する変更部を更に備え、前記算出部は、前記第２の取得部が取得した前記表示面の周辺部の発光強度及び前記変更部が変更した対応情報に基づいて、前記表示面の中央部の発光強度を算出するようにしてあることを特徴とする。
【００２３】
本発明に係る発光強度測定装置は、前記第１の取得部は、前記バックライトの発光強度を段階的に変更させつつ、前記表示面に単一の発光強度の映像を複数順次表示させ、前記バックライトの発光強度毎に、各映像に対応する前記表示面の中央部及び周辺部の発光強度を取得するようにしてあり、前記記憶部は、前記バックライトの発光強度毎に、前記第１の取得部が各映像に対応して取得した前記表示面の中央部及び周辺部の発光強度を対応付けた対応情報を記憶する構成としてあり、前記第２の取得部が取得する際の前記バックライトの発光強度に応じた対応情報を選択する選択部を更に備え、前記算出部は、前記第２の取得部が取得した前記表示面の周辺部の発光強度及び前記選択部が選択した対応情報に基づいて、前記表示面の中央部の発光強度を算出するようにしてあることを特徴とする。
【００２４】
本発明に係るコンピュータプログラムは、コンピュータに、表示パネル及びバックライトを備えた表示装置の表示面からの発光強度を測定させるためのコンピュータプログラムにおいて、前記コンピュータに、前記表示面に単一の発光強度の映像を複数順次表示させた場合に、映像毎に取得された前記表示面の中央部及び周辺部の発光強度を対応付けた対応情報を生成する対応付けステップと、前記対応情報の生成後に取得された前記表示面の周辺部の発光強度及び前記対応付けステップで生成された対応情報に基づいて、前記表示面の中央部の発光強度を算出する算出ステップとを実行させることを特徴とする。
【００２５】
本発明に係るコンピュータプログラムは、前記対応付けステップは、前記対応情報に、前記表示面の中央部及び周辺部の発光強度を取得した際の前記バックライトの発光強度を更に対応付け、前記コンピュータに、前記対応情報の生成後に前記表示面の周辺部の発光強度を取得する際の前記バックライトの発光強度及び前記対応付けステップで前記対応情報に対応付けられた前記バックライトの発光強度に基づいて、前記対応情報を変更する変更ステップを更に実行させ、前記算出ステップは、前記対応情報の生成後に取得した前記表示面の周辺部の発光強度及び前記変更ステップで変更された対応情報に基づいて、前記表示面の中央部の発光強度を算出することを特徴とする。
【００２６】
本発明に係るコンピュータプログラムは、前記対応付けステップは、前記バックライトの発光強度を段階的に変更させつつ、前記表示面に単一の発光強度の映像を複数順次表示させた場合に、前記バックライトの発光強度毎に取得された各映像に対応する前記表示面の中央部及び周辺部の発光強度を対応付けた対応情報を生成し、前記コンピュータに、前記対応情報の生成後、前記表示面の周辺部の発光強度を取得する際の前記バックライトの発光強度に応じた対応情報を選択する選択ステップを更に実行させ、前記算出ステップは、前記対応情報の生成後に取得した前記表示面の周辺部の発光強度及び前記選択ステップで選択された対応情報に基づいて、前記表示面の中央部の発光強度を算出することを特徴とする。
【００２７】
本発明によれば、表示パネル及びバックライトを備えた表示装置の表示面に単一の発光強度の映像を複数順次表示させ、映像毎に、表示面の中央部及び周辺部の発光強度を取得し、映像（映像の発光強度）毎に取得した表示面の中央部及び周辺部の発光強度を対応付けた対応情報を記憶しておく。表示面の発光強度を測定（予測）する場合、対応情報が既に記憶されている状態で表示面の周辺部の発光強度を取得し、取得した発光強度と予め記憶してある対応情報とに基づいて、表示面の中央部の発光強度を算出する。従来のように映像の各階調レベル（各発光強度）に対応付けて、表示面の中央部及び周辺部の輝度（発光強度）の相対比を記憶しておくのではなく、予め測定した中央部及び周辺部の発光強度自体を記憶しておくので、階調レベルに依存することなく表示面の中央部の発光強度を測定（予測）できる。
【００２８】
本発明によれば、所定のタイミングで、表示装置の表示面に単一の発光強度の映像を複数順次表示させ、映像毎に表示面の中央部及び周辺部の発光強度を取得する都度、記憶してある対応情報を更新する。よって、表示面の周辺部の発光強度から表示面の中央部の発光強度を算出する際に用いる対応情報を適宜更新することが可能となる。
【００２９】
本発明によれば、対応情報と共に、対応情報を生成するために表示面の中央部及び周辺部の発光強度を取得した際のバックライトの発光強度を記憶しておく。表示面の発光強度を測定（予測）する場合、まず、表示面の周辺部の発光強度を取得する際のバックライトの発光強度と、予め対応情報と共に記憶してあるバックライトの発光強度とに基づいて、対応情報を変更する。そして、表示面の周辺部の発光強度を取得し、取得した発光強度と変更された対応情報とに基づいて、表示面の中央部の発光強度を算出する。よって、表示面の周辺部の発光強度を取得する際のバックライトの発光強度に応じた対応情報を適切に生成でき、このような対応情報に基づいて、表示面の中央部の発光強度が算出される。これにより、いかなるブライトネス（バックライトの発光強度）であっても、表示面の中央部の発光強度を精度よく測定できる。
【００３０】
本発明によれば、バックライトの発光強度を段階的に変更させつつ、表示面に単一の発光強度の映像を複数順次表示させ、バックライトの発光強度毎に、各映像に対応する表示面の中央部及び周辺部の発光強度を取得し、バックライトの発光強度毎に、各映像に対応して取得した表示面の中央部及び周辺部の発光強度を対応付けた対応情報を記憶しておく。表示面の発光強度を測定（予測）する場合、まず、表示面に所定の発光強度の映像を表示させ、このときの表示面の周辺部の発光強度に基づいて、バックライトの発光強度に応じた複数の対応情報から１つを選択する。そして、表示面の周辺部の発光強度を取得し、取得した発光強度と選択した対応情報とに基づいて、表示面の中央部の発光強度を算出する。よって、表示面の周辺部の発光強度を取得する際のバックライトの発光強度に応じた対応情報を適切に選択でき、このような対応情報に基づいて、表示面の中央部の発光強度が算出される。これにより、いかなるブライトネスであっても、表示面の中央部の発光強度を精度よく測定できる。
【００３１】
本発明によれば、バックライトの発光強度を、表示面に表示される映像が単一の最大発光強度の映像である場合に表示面の周辺部で取得された発光強度とする。即ち、例えば、２５６階調の映像を表示装置に表示させる場合に、階調値が２５５の映像を表示させた場合の表示面の周辺部の発光強度がバックライトの発光強度とみなされる。
【００３２】
本発明によれば、バックライトの発光強度を、バックライトの発光量を制御する制御値とする。即ち、例えば、ユーザによって調整可能なブライトネス値又はバックライトに与えられる電圧値がバックライトの発光強度とみなされる。
【００３３】
本発明によれば、予め用意してある対応情報に基づいて、表示面の周辺部の輝度及び／又は色度から表示面の中央部の輝度及び／又は色度を算出する。よって、表示部に表示される映像の階調レベルに依存することなく表示面の中央部の輝度及び／又は色度を精度よく測定（予測）できる。
【発明の効果】
【００３４】
本発明では、階調レベルに依存することなく表示面の中央部の発光強度を測定（予測）できるので、表示させる映像信号に行う各処理における補正量が変更されることによって、いかなる階調特性に補正された場合であっても、表示面の中央部の発光強度を精度よく測定できる。また、予め記憶してある対応情報から、表示面の周辺部の発光強度に対応する中央部の発光強度を読み出すことによって表示面の中央部の発光強度を算出するので、演算処理を行う必要がなく、対応情報に対する検索処理のみで中央部の発光強度を算出できる。なお、発光強度としては例えば輝度又は色度等がある。
【００３５】
本発明では、表示面の周辺部の発光強度から表示面の中央部の発光強度を算出する際に用いる対応情報を適宜更新することができる。従って、表示パネル又はバックライトに経年変化がある場合であっても、対応情報を更新することによって、表示面の中央部の発光強度の測定精度が低下しない。
【００３６】
本発明では、バックライトの発光強度に応じた対応情報を適切に生成又は選択でき、このような対応情報に基づいて表示面の中央部の発光強度が算出されるので、いかなるブライトネスであっても、表示面の中央部の発光強度を精度よく測定できる。よって、ブライトネスの高低に拘わらず、表示面の中央部の発光強度を精度よく測定できるので、例えばユーザがいかなるブライトネスで表示装置を使用した場合であっても、また表示パネル又はバックライトに経年変化がある場合であっても、表示面の中央部の発光強度を精度よく測定できる。
【００３７】
本発明では、例えば、２５６階調の映像を表示装置に表示させる場合に、階調値が２５５の映像を表示させた場合に表示面の周辺部で取得された発光強度に基づいて対応情報を生成又は選択するので、対応情報の生成又は選択が容易となる。また、本発明では、例えば、ブライトネス値又は電圧値に基づいて対応情報を生成又は選択するので、対応情報の生成又は選択が容易となる。
【図面の簡単な説明】
【００３８】
【図１】実施形態１に係る液晶表示装置の外観を示す模式的斜視図である。
【図２】本発明に係る発光強度測定方法を実行するための装置の構成を示すブロック図である。
【図３】本発明に係る発光強度測定方法を実行するための装置の構成を示すブロック図である。
【図４】相関テーブルの一例を示す模式図である。
【図５】コレレーション処理の手順を示すフローチャートである。
【図６】相関テーブルの一例を示すグラフである。
【図７】キャリブレーション処理の手順を示すフローチャートである。
【図８】キャリブレーション処理の手順を示すフローチャートである。
【図９】生成された相関情報の一例を示すグラフである。
【図１０】ＬＵＴ更新処理の手順を示すフローチャートである。
【図１１】実施形態２の相関テーブルの一例を示す模式図である。
【図１２】コレレーション処理の手順を示すフローチャートである。
【図１３】コレレーション処理の手順を示すフローチャートである。
【図１４】キャリブレーション処理の手順を示すフローチャートである。
【図１５】キャリブレーション処理の手順を示すフローチャートである。
【図１６】実施形態１，２の変形例に係る液晶表示装置の構成を示すブロック図である。
【図１７】図１６に示した構成の液晶表示装置の変形例を示すブロック図である。
【発明を実施するための形態】
【００３９】
以下に、本発明に係る発光強度測定方法、発光強度測定装置及びコンピュータプログラムを、その実施形態を示す図面に基づいて具体的に説明する。以下の実施形態では、本発明に係る発光強度測定方法を液晶表示装置に適用した例について説明するが、本発明に係る発光強度測定方法は、ＭＥＭＳ（Micro Electro Mechanical Systems）ディスプレイなどのように光源を別に持つ表示装置にも適用できる。
【００４０】
（実施形態１）
以下に、本発明に係る発光強度測定方法を実現するための実施形態１の構成について説明する。図１は実施形態１に係る液晶表示装置の外観を示す模式的斜視図である。液晶表示装置１は、略矩形の板状をなす本体部分の正面に液晶パネルによる表示面２が設けられて映像を表示するようにしてある。また、液晶表示装置１は、背面にスタンドが設けられて机上又は床上等に表示面２が略垂直となるように本体部分を支持するようにしてある。
【００４１】
また、液晶表示装置１の本体部分の上側には、表示面２の周辺部の輝度又は色度等の発光強度を検知するスイングセンサ３０が着脱可能に取り付けてある。スイングセンサ３０は、略長方形の板状をなして一端部分近傍に、受光面を表示面２に対向するように光センサが配されると共に、他端部を回動可能に枢支された移動部３１を有している。移動部３１は、光センサが表示面２の周辺部に対向する位置と、スイングセンサ３０の本体部分に設けられた収容部３２内に収容されて表示面２に対向しない位置との間を、ＤＣモータの動力により移動するようにしてある。移動部３１を自動的に移動させることにより表示面２の周辺部の発光強度を自動的に検知することが可能である。
【００４２】
図２及び図３は本発明に係る発光強度測定方法を実行するための装置の構成を示すブロック図である。本発明に係る発光強度測定方法は、上述の液晶表示装置１及びスイングセンサ３０と、液晶表示装置１の表示面２の中央部の輝度又は色度等の発光強度を検知するために表示面側に設置される外部光センサ４０と、これらの３つの装置を制御するＰＣ５０とを用いて実行される。なお、外部光センサ４０は、例えば液晶表示装置１のユーザによって手動で液晶表示装置１の表示面２の中央部に取り付けられる。外部光センサ４０は、これ以外に、表示面全体を撮像し、二次元的に発光強度を測定する光学測定器のような形態であってもよい。
【００４３】
液晶表示装置１は、液晶パネル３、バックライト４、制御部５、記憶部６、ＲＡＭ（Random Access Memory）７、操作部８、信号入力部９、バックライト駆動部１０、液晶駆動部１１等を備えている。液晶表示装置１の信号入力部９は、ＰＣ５０などの外部機器にケーブルを介して接続される接続端子を有しており、外部機器から入力される映像信号を取得する。液晶表示装置１は、入力された映像信号に基づいて液晶パネル３の表示面２に映像を表示する。なお、信号入力部９に入力される映像信号は、アナログの信号形式又はデジタルの信号形式のいずれであってもよい。
【００４４】
制御部５は、バスを介して液晶表示装置１内の各部に接続してあり、これらの動作を制御することによって、映像の表示などの種々の処理を実行する。記憶部６は、例えばフラッシュメモリ又はＥＥＰＲＯＭ等の書き換え可能なメモリ素子であり、制御部５の動作に必要な各種のプログラム及びデータ、ＬＵＴ６ａ等が予め記憶してある。ＬＵＴ６ａは、ＰＣ５０のＣＰＵ５１によって生成されるテーブルであり、後述するように、理想階調特性テーブル６２に記憶された理想的な発光強度となるように、各階調レベルと、各階調レベルに対応して液晶パネル３へ与える入力レベルとが関連付けて記憶されたテーブルである。ＲＡＭ７は、ＳＲＡＭ又はＤＲＡＭ等の書き換え可能なメモリ素子である。制御部５は記憶部６に記憶されたプログラムをＲＡＭ７にロードして実行し、プログラムの実行に伴って生成された一時的なデータをＲＡＭ７に記憶する。
【００４５】
操作部８は、液晶表示装置１を操作するための各種のファンクションキーを有している。例えば、操作部８は、表示面２の明るさ（ブライトネス）を設定するためのキー、表示面２に表示される映像のカラーバランスを設定するためのキー等の各種の設定キーを有する。操作部８は、これらのファンクションキーに対するユーザの操作を受け付けて、制御部５へ通知し、制御部５は受け付けたユーザの操作に応じて各部を制御し、設定を更新する。
【００４６】
液晶パネル３は、一対のガラス基板が対向配置され、その間隙内に液晶物質である液晶層が形成された構造をなしている。一方のガラス基板には、複数の画素電極と、画素電極のそれぞれにドレインを接続したＴＦＴ（Thin Film Transistor：薄膜トランジスタ）とが設けてあり、他方のガラス基板には共通電極が設けてある。ＴＦＴのゲート及びソースは、液晶駆動部１１のゲートドライバ１１ａ及びソースドライバ１１ｂの各出力段にそれぞれ接続してある。
【００４７】
液晶駆動部１１は、制御部５に制御されて、信号入力部９に入力された映像信号に基づいて液晶パネル３を駆動する。液晶駆動部１１のゲートドライバ１１ａは、液晶パネル３が有する多数のＴＦＴのゲートに、入力された映像信号に応じて選択的に電圧を印加し、ソースドライバ１１ｂは、ＴＦＴのソースに、入力された映像信号に応じた電圧値で電圧を印加する。
【００４８】
液晶パネル３は、ゲートドライバ１１ａから印加される電圧によって各画素のＴＦＴのオン／オフが制御され、ソースドライバ１１ｂから入力される出力電圧（液晶パネル３への入力レベル）をオン期間に各画素のＴＦＴに印加することにより、液晶物質の電気光学特性によって決定される光透過率を制御して、光源からの光の透過を調整し、映像を階調表示する。液晶パネル３は一対の偏光板（図示は省略する）で挟まれ、更にその背面に光源としてのバックライト４が配設してある。また、液晶パネル３の正面側は外部に露出しており、正面側が映像を表示する表示面２をなしている。
【００４９】
バックライト４はバックライト駆動部１０から与えられるパルス電圧により駆動されており、バックライト駆動部１０は制御部５により制御されて、ユーザが操作部８を操作して設定したブライトネスに応じてパルス電圧のパルス幅等を調整してバックライト４へ与え、バックライト４の輝度（光量）を調整する。これにより、液晶パネル３の表示面２でのブライトネスを調整することができる。
【００５０】
液晶表示装置１に取り付けられるスイングセンサ３０は、光センサ３３、ＤＣモータ３４、モータ駆動部３５及びＩ／Ｆ（インタフェース）部３６等を備える。上述の移動部３１に設けられる光センサ３３は、フォトトランジスタなどの受光素子及びＡ／Ｄ変換回路等を有しており、液晶パネル３の表示面２の周辺部の輝度又は色度等の発光強度（例えば、可視光の波長帯域における輝度）に応じて受光素子が出力する電圧をＡ／Ｄ変換回路によりデジタルの電気信号に変換して出力する。
【００５１】
ＤＣモータ３４は、移動部３１を液晶パネル３の表示面２に沿って回動させる動力を発生するものであり、モータ駆動部３５から与えられる電圧により駆動される。モータ駆動部３５は、所望の電圧を発生してＤＣモータ３４に印加し、ＤＣモータ３４の回転方向及び回転量を制御することによって、光センサ３３による表示面２の発光強度の検出位置又は非検出位置のいずれかに移動部３１を移動させる。
【００５２】
光センサ３３及びモータ駆動部３５はＩ／Ｆ部３６にそれぞれ接続してある。Ｉ／Ｆ部３６はケーブルを介してＰＣ５０に接続してあり、光センサ３３が検知した表示面２の発光強度をデジタルのデータとしてＰＣ５０へ与えると共に、ＰＣ５０からの制御命令を取得してモータ駆動部３５に与える。これにより、モータ駆動部３５がＤＣモータ３４を駆動し、移動部３１を移動させて光センサ３３による発光強度の検出を行う。
【００５３】
外部光センサ４０は、スイングセンサ３０の光センサ３３と同様に表示面２の発光強度を検出するものである。なお、外部光センサ４０は、スイングセンサ３０のように常に液晶表示装置１に取り付けられるのではなく、検出を行う場合にのみ表示面２の略中央に両面テープ又は吸盤などで固定して使用される。具体的には、外部光センサ４０は、液晶表示装置１の製造時、スイングセンサ３０の取り付け時又は定期的に、表示面２の中央部の発光強度と周辺部の発光強度との相関関係（相関情報）を取得する場合に付加的に使用される。外部光センサ４０は、使用時にのみＰＣ５０に接続され、外部光センサ４０が検出した測定値（発光強度）はデジタルのデータとしてＰＣ５０へ与えられる。
【００５４】
ＰＣ５０は、ＣＰＵ（Central Processing Unit）５１、ＲＡＭ５２、操作部５３、Ｉ／Ｆ部５４、５５、信号出力部５６及び記憶部６０等を備える。ＣＰＵ５１は、バスを介してその他のハードウェア各部に接続してあり、これら各部の動作を制御する処理を行うと共に、記憶部６０に記憶された各種のプログラムを実行する。ＲＡＭ５２は、ＳＲＡＭ又はＤＲＡＭ等のメモリ素子であり、ＣＰＵ５１が処理を行う際に各種のプログラム及びデータ等を一時的に記憶する。
【００５５】
操作部５３は、例えばマウス及びキーボード等であり、ＰＣ５０に対してユーザが行った操作を受け付け、操作内容をＣＰＵ５１に通知する。Ｉ／Ｆ部５４、５５は、例えばＵＳＢ又はＲＳ２３２Ｃ等の規格の接続端子を備え、外部の機器との間でデータの送受信を行う。図３に示す例では、Ｉ／Ｆ部５４、５５には、スイングセンサ３０が常時接続されると共に、必要に応じて外部光センサ４０が接続される。信号出力部５６は、液晶表示装置１に接続されており、ＣＰＵ５１の処理により生成された表示用の映像信号を液晶表示装置１へ出力する。これにより、所望の映像を液晶表示装置１の表示面２に表示させることができる。
【００５６】
記憶部６０は、ハードディスクなどの大容量の記憶装置であり、図示は省略するが、オペレーティングシステム、アプリケーションプログラム及び制御プログラム等の各種のプログラム、これらのプログラムで利用されるデータ又はこれらのプログラムが生成したデータ等を記憶する。本実施形態１においては、記憶部６０にキャリブレーションプログラム６１、理想階調特性テーブル６２、及び相関テーブル６４等が記憶してある。
【００５７】
理想階調特性テーブル６２は、液晶表示装置１で表示される映像のデータに係る階調レベル（例えば、０〜２５５の各階調値）と、各階調レベルに対して液晶表示装置１の液晶パネル３が表示する際の理想的な輝度又は色度等の発光強度とが関連付けて記憶されたテーブルである。液晶表示装置１の記憶部６に格納されるＬＵＴ６ａは、このような理想階調特性テーブル６２に記憶された理想的な発光強度となるように、各階調レベルと、各階調レベルに対応して液晶パネル３へ与える入力レベルとが関連付けて記憶されたテーブルである。液晶表示装置１の制御部５は、信号入力部９を介してＰＣ５０から入力された映像データの各画素の階調レベルを、ＬＵＴ６ａを基に液晶パネル３への最適な入力レベルに変換し、映像信号として液晶駆動部１１へ出力する。
【００５８】
しかし、液晶表示装置１の継続的な使用により液晶パネル３に経年変化が生じ、液晶パネル３の階調特性に若干の変化が生じた場合、あるいはユーザが現在と異なる最大輝度に変更したい場合、予め液晶表示装置１の記憶部６に記憶させたＬＵＴ６ａによる階調レベルから入力レベルへの変換では、理想階調特性テーブル６２に記憶された理想的な発光強度で映像を表示できない場合がある。このため、変化した液晶パネル３の階調特性に合わせてＬＵＴ６ａを更新する処理（以下、キャリブレーション処理という）を行うキャリブレーションプログラム６１が記憶部６０に記憶してある。
【００５９】
従って、キャリブレーションプログラム６１をＣＰＵ５１が実行してＬＵＴ６ａを更新することにより、液晶パネル３にて理想的な発光強度で映像を表示できるようにしてある。なお、ＣＰＵ５１は、キャリブレーション処理を行なうことによってＬＵＴ６ａを更新する都度、更新したＬＵＴ６ａを液晶表示装置１の記憶部６に記憶させる。また、キャリブレーション処理は、ユーザが操作部５３を操作することによりキャリブレーションプログラム６１をＰＣ５０に実行させてもよく、予め定められた周期で自動的に行わせてもよく、ＰＣ５０がＬＡＮなどのネットワークに接続する機能を有している場合にはサーバコンピュータなどによる遠隔操作で行わせてもよい。
【００６０】
キャリブレーションプログラム６１によるキャリブレーション処理では、スイングセンサ３０を用いて液晶表示装置１の表示面２の周辺部の発光強度を検出し、理想階調特性テーブル６２に記憶された理想的な発光強度との差を打ち消すように、ＬＵＴ６ａに記憶された入力レベルを更新する。しかし、スイングセンサ３０は表示面２の周辺部の発光強度を検出する構成であるが、キャリブレーション処理は表示面２の中央部の発光強度を基に行うことが好ましい。そこで、記憶部６０には、特定のブライトネスにおいて、表示面２の中央部の発光強度と周辺部の発光強度とが対応付けられた相関情報を格納する相関テーブル６４が記憶してある。よって、キャリブレーションプログラム６１は、相関テーブル６４を基に、スイングセンサ３０が検出した表示面２の周辺部の発光強度から中央部の発光強度を算出（予測）し、算出した中央部の発光強度を基にキャリブレーション処理を行う。
【００６１】
図４は相関テーブル６４の一例を示す模式図である。相関テーブル６４は、特定のブライトネスにおいて、各階調レベルの映像を表示面２で表示させた場合に、スイングセンサ３０が検出した表示面２の周辺部の発光強度と、外部光センサ４０が検出した表示面２の中央部の発光強度とが対応付けられた相関情報が記憶されたテーブルである。なお、実際の相関テーブル６４には、階調レベルの項目は含まれていなくてもよい。
【００６２】
液晶表示装置１とスイングセンサ３０及び外部光センサ４０とを組にして製造及び販売等される場合には、製造工程にてスイングセンサ３０及び外部光センサ４０による測定を予め行って相関テーブル６４を作成しておく。また、液晶表示装置１とスイングセンサ３０及び外部光センサ４０とが個別に製造及び販売等される場合には、スイングセンサ３０の取り付け時に測定を行って相関テーブル６４を作成すればよい。製造工程にて相関テーブル６４を作成した場合には、作成した相関テーブル６４をＣＤ−ＲＯＭなどの記録媒体に記録して提供してもよく、ＰＣ５０の記憶部６０に記憶してＰＣ５０と共に提供してもよい。また、ユーザがスイングセンサ３０及び外部光センサ４０を利用して、相関テーブル６４を更新することも可能である。相関テーブル６４の更新は、キャリブレーションプログラム６１の一機能（コレレーション機能）として提供される。
【００６３】
相関テーブル６４には図示のように階調値毎に検出を行った結果を対応付けて記憶してあり、液晶パネル３が２５６階調の表示を行う場合、階調レベル毎に、スイングセンサ３０の測定値に、外部光センサ４０の測定値が対応付けて記憶してある。キャリブレーションプログラム６１によりキャリブレーション処理を行う場合、ＰＣ５０のＣＰＵ５１は、発光強度が最大の映像、即ち階調値が２５５の映像を表示面２に表示させ、このときの表示面２の周辺部の発光強度をスイングセンサ３０にて検出する。また、ＣＰＵ５１は、相関テーブル６４に格納してある相関情報を変更して、検出した発光強度に対応する相関情報を生成し、生成した相関情報を参照することにより、表示面２の周辺部の発光強度に対応する中央部の発光強度を容易に取得することができる。
【００６４】
このように、相関テーブル６４にスイングセンサ３０の測定値（表示面２の周辺部の発光強度）と、各測定値に対応する外部光センサ４０の測定値（表示面２の中央部の発光強度）とを対応付けて記憶しておくことにより、階調レベルに依存することなく表示面２の中央部の発光強度を測定（推定）できる。よって、液晶パネル３で表示されるまでに映像データに行われる各種の補正処理に用いられる補正量が変更され、階調特性が補正されていた場合であっても、スイングセンサ３０の測定値に基づいて表示面２の中央部の発光強度を精度よく推定できる。
【００６５】
次に、本発明に係る発光強度測定方法をフローチャートに基づいて説明する。本発明に係る発光強度測定方法は、外部光センサ４０及びスイングセンサ３０を用いて表示面２の中央部の発光強度及び周辺部の発光強度をそれぞれ測定して相関テーブル６４を更新するコレレーション処理と、外部光センサ４０を用いず、スイングセンサ３０のみを用いて表示面２の周辺部の発光強度のみを測定してＬＵＴ６ａを更新するキャリブレーション処理とを含む。なお、コレレーション処理もキャリブレーション処理も、ＣＰＵ５１がキャリブレーションプログラム６１を実行することにより実行される。
【００６６】
まず、コレレーション処理について説明する。図５はコレレーション処理の手順を示すフローチャートである。コレレーション処理を行う場合、外部光センサ４０は、予め液晶パネル３の表示面２の所定位置（中央部）に取り付けられる。
【００６７】
ＣＰＵ５１は、スイングセンサ３０を起動し（Ｓ１）、光センサ３３が表示面２の周辺部に対向するように移動部３１を移動させる。次に、ＣＰＵ５１は、液晶表示装置１を制御して、バックライト４の光量を調整し、表示面２のブライトネスを、所望のブライトネス（例えば、ユーザが操作部８で設定したブライトネス）に設定する（Ｓ２）。なお、本実施形態１のコレレーション処理では、所望のブライトネスに対応して、スイングセンサ３０の測定値と外部光センサ４０の測定値との相関情報を得る。
【００６８】
ＣＰＵ５１は、液晶表示装置１に表示させる映像信号の入力階調（階調レベル）ｉを０に設定する（Ｓ３）。なお、階調レベルの設定は、表示面２全体に適用してもよいし、スイングセンサ３０及び外部光センサ４０が測定対象とする領域にのみ適用してもよい。以下の処理においても同様である。ＣＰＵ５１は、このときの表示面２の周辺部の発光強度をスイングセンサ３０にて検出し、スイングセンサ３０の測定値を取得し（Ｓ４）、表示面２の中央部の発光強度を外部光センサ４０にて検出し、外部光センサ４０の測定値を取得する（Ｓ５）。ＣＰＵ５１は、取得したスイングセンサ３０の測定値及び外部光センサ４０の測定値を対応させて相関テーブル６４に記憶させる（Ｓ６）。
【００６９】
ＣＰＵ５１は、すべての階調（例えば、階調レベルが０〜２５５）に対して発光強度が測定されたか否かを判断し（Ｓ７）、すべての階調で測定されていない場合（Ｓ７：ＮＯ）、入力階調ｉに１を加算して（Ｓ８）、ステップＳ４に処理を戻す。ＣＰＵ５１は、すべての階調で発光強度が測定されるまでステップＳ４〜Ｓ８の処理を繰り返し、これにより、図４に示したように、所望のブライトネスにおけるスイングセンサ３０の測定値及び外部光センサ４０の測定値の相関情報が相関テーブル６４に記憶される。すべての階調で発光強度が測定された場合（Ｓ７：ＹＥＳ）、ＣＰＵ５１は、スイングセンサ３０の移動部３１を収容部３２に収容する処理、液晶パネル３の表示を元に戻す処理、ブライトネス設定を元に戻す処理、及び外部光センサ４０の取り外しを促すメッセージを表示する処理等を含む終了処理を行って（Ｓ９）、処理を終了する。
【００７０】
図６は相関テーブル６４の一例を示すグラフである。図６において、横軸は０〜２５５の階調レベルに対するスイングセンサ３０の測定値を表し、縦軸は０〜２５５の階調レベルに対する外部光センサ４０の測定値を表す。
【００７１】
次に、キャリブレーション処理について説明する。上述したコレレーション処理により相関テーブル６４が適切に更新され、このような相関テーブル６４をキャリブレーション処理の際に用いることによって、スイングセンサ３０が検出した表示面２の周辺部の発光強度から中央部の発光強度を精度良く取得することができる。図７及び図８はキャリブレーション処理の手順を示すフローチャートである。
【００７２】
上述したコレレーション処理によって更新された相関テーブル６４を記憶部６０に記憶しているＰＣ５０において、ＣＰＵ５１は、スイングセンサ３０を起動し（Ｓ２１）、光センサ３３が表示面２の周辺部に対向するように移動部３１を移動させる。次に、ＣＰＵ５１は、液晶表示装置１を制御して、バックライト４の光量を調整し、表示面２のブライトネスを所望のブライトネス（例えば、ユーザが操作部８で設定したブライトネス）に設定する（Ｓ２２）。
【００７３】
ＣＰＵ５１は、液晶表示装置１に表示させる映像信号の入力階調（階調レベル）を２５５に設定し（Ｓ２３）、このときの表示面２の周辺部の発光強度をスイングセンサ３０にて検出し、スイングセンサ３０の測定値を取得する（Ｓ２４）。ＣＰＵ５１は、スイングセンサ３０の測定値に基づいて、相関テーブル６４に記憶してある相関情報から、このときのスイングセンサ３０の測定値に対応する相関情報を生成する。
【００７４】
具体的には、ＣＰＵ５１は、相関テーブル６４に記憶してある相関情報から階調レベル２５５に対するスイングセンサ３０の測定値を読み出し、読み出したスイングセンサ３０の測定値に対する、このときの表示面２の周辺部の発光強度（ステップＳ２４で取得したスイングセンサ３０の測定値）の割合を算出する（Ｓ２５）。例えば、相関テーブル６４に記憶してある相関情報における階調レベル２５５に対するスイングセンサ３０の測定値が２００cd/m2 であり、ステップＳ２４で取得したスイングセンサ３０の測定値が１００cd/m2 であったとする。この場合、ＣＰＵ５１は、表示面２の周辺部の発光強度（１００）／相関情報における階調レベル２５５に対するスイングセンサ３０の測定値（２００）によって、割合１／２を算出する。
【００７５】
次にＣＰＵ５１は、相関テーブル６４に記憶してあるスイングセンサ３０の測定値と、外部光センサ４０の測定値との各組み合わせにおいて、スイングセンサ３０の測定値に対する外部光センサ４０の測定値の割合をそれぞれ算出する（Ｓ２６）。例えば、図４に示した相関テーブル６４では、階調レベル２５５に対するスイングセンサ３０の測定値及び外部光センサ４０の測定値が共に２００cd/m2 であるので、ＣＰＵ５１は、階調レベル２５５におけるスイングセンサ３０の測定値に対する外部光センサ４０の測定値の割合１を算出する。
【００７６】
ＣＰＵ５１は、相関テーブル６４に記憶してあるスイングセンサ３０の各測定値に、ステップＳ２５で算出した割合１／２を順次乗算し、新たなスイングセンサ３０の測定値を算出する（Ｓ２７）。また、ＣＰＵ５１は、順次算出した新たなスイングセンサ３０の測定値に、ステップＳ２６で各組み合わせに対応して算出した各割合を乗算し、新たなスイングセンサ３０の測定値のそれぞれに対応する、表示面２の中央部の発光強度を算出する（Ｓ２８）。ＣＰＵ５１は、ステップＳ２７で算出した新たなスイングセンサ３０の測定値と、ステップＳ２８で算出した表示面２の中央部の発光強度とをそれぞれ対応付けて相関情報を生成する（Ｓ２９）。なお、ＣＰＵ５１は、生成した相関情報をＲＡＭ５２又は記憶部６０に記憶させて使用する。これにより、予め相関テーブル６４に記憶してある相関情報から、キャリブレーション時のブライトネスに最適な相関情報を生成できる。
【００７７】
図９は生成された相関情報の一例を示すグラフである。図９において、横軸は０〜２５５の階調レベルに対するスイングセンサ３０の測定値を表し、縦軸は０〜２５５の階調レベルに対する外部光センサ４０の測定値（表示面２の中央部の発光強度）を表す。なお、図９に示した例は、予め相関テーブル６４に記憶されていた相関情報Ｇ１に基づいて、キャリブレーション時に階調レベルが２５５の映像を表示させたときの表示面２の周辺部の発光強度が１００cd/m2 であった場合に算出される相関情報Ｇ２を示す。
【００７８】
図９に示すように、階調レベル２５５に対応する表示面２の周辺部の発光強度が、ブライトネスの変更によって２００cd/m2 から１００cd/m2 に変化した場合、相関情報を相対的に１／２に縮小する。このような演算処理により、いかなるブライトネスが設定された場合であっても、設定されたブライトネスに応じた相関情報を算出できるので、このような相関情報を用いて高精度のキャリブレーションが可能である。
【００７９】
上述したようにキャリブレーション時のブライトネスに応じた相関情報を生成した場合、ＣＰＵ５１は、液晶表示装置１に表示させる映像信号の入力階調（階調レベル）ｉを０に設定し（Ｓ３０）、このときの表示面２の周辺部の発光強度をスイングセンサ３０にて検出し、スイングセンサ３０の測定値を取得する（Ｓ３１）。ＣＰＵ５１は、取得したスイングセンサ３０の測定値、即ち、このときの表示面２の周辺部の発光強度に対応する、表示面２の中央部の発光強度を、ステップＳ２９で生成した相関情報から取得する（Ｓ３２）。具体的には、ＣＰＵ５１は、ステップＳ２９で生成した相関情報に含まれるスイングセンサ３０の測定値から、ステップＳ３１で取得したスイングセンサ３０の測定値に最も近い測定値を検索し、検索したスイングセンサ３０の測定値に対応する外部光センサ４０の測定値（表示面２の中央部の発光強度）を読み出す。ＣＰＵ５１は、取得した中央部の発光強度を階調レベルと対応付けて記憶部６０に記憶する（Ｓ３３）。
【００８０】
ＣＰＵ５１は、すべての階調（例えば、階調レベルが０〜２５５）に対して発光強度が測定されたか否かを判断し（Ｓ３４）、すべての階調で測定されていない場合（Ｓ３４：ＮＯ）、入力階調ｉに１を加算して（Ｓ３５）、ステップＳ３１に処理を戻す。ＣＰＵ５１は、すべての階調で発光強度が測定されるまでステップＳ３１〜Ｓ３５の処理を繰り返す。すべての階調で発光強度が測定された場合（Ｓ３４：ＹＥＳ）、ＣＰＵ５１は、記憶部６０に記憶された理想階調特性テーブル６２を読み出して（Ｓ３６）、ステップＳ３３で記憶部６０に記憶した全階調レベルについての表示面２の中央部の発光強度と理想階調特性テーブル６２の階調特性とを基にＬＵＴ６ａの更新処理を行う（Ｓ３７）。
【００８１】
図１０はＬＵＴ更新処理の手順を示すフローチャートであり、図７及び図８に示すフローチャートのステップＳ３７にて行う処理である。理想階調特性テーブル６２には階調レベルに対して理想的な発光強度が対応付けて記憶してあり、理想階調特性テーブル６２中の階調レベルｋに対する理想的な発光強度をＴｋとする（ｋ＝０〜２５５）。また、ステップＳ３３にて記憶部６０に記憶した表示面２の中央部の発光強度について、階調レベルｊに対して測定した発光強度をＬｊとする（ｊ＝０〜２５５）。
【００８２】
ＬＵＴ６ａの更新処理では、まず、理想的な発光強度Ｔｋと測定した発光強度Ｌｊとの差分（Ｔｋ−Ｌｊ）を全ての組み合わせについて算出し（Ｓ４１）、この差分の絶対値｜Ｔｋ−Ｌｊ｜が最小となる階調レベルｋ、ｊの組み合わせを抽出する（Ｓ４２）。抽出結果から、階調レベルｋをテーブルの入力とし、対応する階調レベルｊをテーブルの出力としてＬＵＴ６ａに記憶し（Ｓ４３）、更新処理を終了する。
【００８３】
図８中のステップＳ３７にてＬＵＴ６ａの更新処理が終了した後、ＣＰＵ５１は、スイングセンサ３０の移動部３１を収容部３２に収容する処理、及び液晶パネル３の表示を元に戻す処理等を含む終了処理を行って（Ｓ３８）、キャリブレーション処理を終了する。なお、ＰＣ５０のＣＰＵ５１は、キャリブレーション処理によってＬＵＴ６ａを更新した場合、更新したＬＵＴ６ａを信号出力部５６から液晶表示装置１へ出力する。そして、液晶表示装置１の制御部５は、信号入力部９を介して取得したＬＵＴ６ａを記憶部６に記憶させ、ＬＵＴ６ａを更新する。
【００８４】
上述したように、本実施形態１では、コレレーション処理により、液晶パネル３の表示面２の中央部の発光強度と周辺部の発光強度との相関情報を階調レベル０〜２５５の各階調レベル毎に予め相関テーブル６４に記憶しておく。そして、各階調レベル毎に表示面２の周辺部の発光強度を検出し、検出した周辺部の発光強度と予め記憶してある相関情報とに基づいて、各階調レベルにおける表示面２の中央部の発光強度を算出する。相関テーブル６４の入力及び出力が共に発光強度であるので、階調レベルに依存することなく表示面２の中央部の発光強度の測定が可能である。従って、カラーバランス調整などにおける各種の補正量が変更された場合であっても、相関テーブル６４を変更することなく、いずれの階調レベルにおいても表示面２の中央部の発光強度を精度よく測定できる。
【００８５】
また、キャリブレーション処理を行う場合は、精度よく算出された発光強度に基づいて、液晶パネル３の発光強度を所要の発光強度に調整することにより、階調レベルの大小にかかわらず、所要の階調特性を得ることができ、階調レベルの影響を受けずに精度良くキャリブレーションを行うことができる。なお、相関テーブル６４とスイングセンサ３０の測定値とに基づいて表示面２の中央部の発光強度を算出するので、液晶パネル３の表示面２の中央部に外部光センサ４０を取り付ける作業を行うことなく、表示面２の中央部の発光強度を精度よく測定できる。
【００８６】
また、予め相関テーブル６４に記憶してある相関情報から、ユーザの所望のブライトネス（コレレーション時のブライトネス）に応じた相関情報を生成し、生成した相関情報と、表示面２の周辺部の発光強度とに基づいて、設定された所望のブライトネスにおける表示面２の中央部の発光強度を算出する。よって、ブライトネスの高低にかかわらず、表示面２の中央部の発光強度の測定が可能であるので、ユーザがいかなるブライトネスで使用した場合であっても、又はバックライト４に経年変化がある場合であっても、表示面２の中央部の発光強度を精度よく測定できる。キャリブレーション処理を行う場合は、精度よく算出された発光強度に基づいて、液晶パネル３の発光強度を所要の発光強度に調整することにより、ブライトネスの高低にかかわらず、所要の階調特性を実現でき、ブライトネスの影響を受けずに精度良くキャリブレーションを行うことができる。
【００８７】
また、外部光センサ４０を用いて相関テーブル６４を更新することができるため、経年変化などにより液晶パネル３又はバックライト４等の特性が変化し、表示面２での表示特性が変化した場合であっても、液晶表示装置１の表示品質を高度に保つことができる。
【００８８】
本実施形態１のＣＰＵ５０は、キャリブレーションを行う都度、相関テーブル６４に予め記憶してある相関情報から、階調レベル２５５の映像を表示させた場合に検出した表示面２の周辺部の発光強度に対応する相関情報を生成していた。しかし、例えば、階調レベル２５５の映像を表示させた場合に検出した表示面２の周辺部の発光強度が、相関テーブル６４に記憶してある階調レベル２５５に対するスイングセンサ３０の測定値に一致（近似）する場合には、相関テーブル６４に基づくキャリブレーション処理を行ってもよい。
即ち、キャリブレーション処理時のブライトネスが、相関テーブル６４を更新したとき（コレレーション処理時）のブライトネスに近似する場合には、演算処理を行わずに、相関テーブル６４をそのまま用いてキャリブレーションを行ってもよい。この場合、演算処理を行わずに、相関テーブル６４に対する検索処理のみで表示面２の中央部の発光強度を算出するので、処理の高速化が図れる。
【００８９】
（実施形態２）
以下に、本発明に係る発光強度測定方法を実現するための実施形態２の構成について説明する。上述した実施形態１では、相関テーブル６４に所定のバックライト４の光量に対応する、スイングセンサ３０及び外部光センサ４０による測定値の相関情報を記憶しておき、キャリブレーション時のバックライト４の光量に基づいて、相関テーブル６４に記憶してある相関情報から、このときの光量（ブライトネス）に応じた相関情報を算出して用いていた。
【００９０】
本実施形態２では、相関テーブル６４に３種類のバックライト４の光量毎にスイングセンサ３０及び外部光センサ４０による測定値の相関情報を予め記憶しておき、キャリブレーション処理の際に、このときのブライトネスに適した相関情報を３つの相関情報のうちから選択して用いる。本実施形態２の液晶表示装置１、スイングセンサ３０、外部光センサ４０及びＰＣ５０のハードウェア構成は、上述した実施形態１の液晶表示装置１、スイングセンサ３０、外部光センサ４０及びＰＣ５０と同様であるので説明を省略する。
【００９１】
本実施形態２のＰＣ５０では、記憶部６０に記憶されている相関テーブル６４の構成が、上述した実施形態１の相関テーブル６４とは相異する。具体的には、本実施形態２のＰＣ５０の記憶部６０には、特定（本実施形態２では３種類）のブライトネスにおいて、表示面２の中央部の発光強度と周辺部の発光強度とが対応付けられた相関情報を格納する相関テーブル６４が記憶してある。よって、キャリブレーションプログラム６１は、相関テーブル６４を基に、スイングセンサ３０が検出した表示面２の周辺部の発光強度から中央部の発光強度を算出（予測）し、算出した中央部の発光強度を基にキャリブレーション処理を行う。
【００９２】
図１１は実施形態２の相関テーブル６４の一例を示す模式図である。本実施形態２の相関テーブル６４は、３種類のブライトネス（高ブライトネス、中ブライトネス、低ブライトネス）において、各階調レベルの映像を表示面２で表示させた場合に、スイングセンサ３０が検出した表示面２の周辺部の発光強度と、外部光センサ４０が検出した表示面２の中央部の発光強度とが対応付けられた相関情報が記憶されたテーブルである。なお、実際の相関テーブル６４には、階調レベルの項目は含まれていなくてもよい。
【００９３】
以下に、本実施形態２のＰＣ５０が行うコレレーション処理についてフローチャートに基づいて説明する。図１２及び図１３はコレレーション処理の手順を示すフローチャートである。コレレーション処理を行う場合、外部光センサ４０は、予め液晶パネル３の表示面２の所定位置（中央部）に取り付けられる。
【００９４】
ＣＰＵ５１は、スイングセンサ３０を起動し（Ｓ５１）、光センサ３３が表示面２の周辺部に対向するように移動部３１を移動させる。次に、ＣＰＵ５１は、液晶表示装置１を制御して、バックライト４の光量を調整し、表示面２のブライトネスを、予め定められたブライトネスのうちで最も高いブライトネス（高ブライトネス）に設定する（Ｓ５２）。なお、本実施形態２では、コレレーション処理を行う際に３種類のブライトネスを順次切り替えることにより、図１１に示すように３種類のブライトネスに対応して、スイングセンサ３０の測定値と外部光センサ４０の測定値との相関情報を得ることができる。
【００９５】
ＣＰＵ５１は、液晶表示装置１に表示させる映像信号の入力階調（階調レベル）ｉを０に設定する（Ｓ５３）。ＣＰＵ５１は、このときの表示面２の周辺部の発光強度をスイングセンサ３０にて検出し、スイングセンサ３０の測定値を取得し（Ｓ５４）、表示面２の中央部の発光強度を外部光センサ４０にて検出し、外部光センサ４０の測定値を取得する（Ｓ５５）。ＣＰＵ５１は、取得したスイングセンサ３０の測定値及び外部光センサ４０の測定値を対応させて相関テーブル６４に記憶させる（Ｓ５６）。
【００９６】
ＣＰＵ５１は、すべての階調（例えば、階調レベルが０〜２５５）に対して発光強度が測定されたか否かを判断し（Ｓ５７）、すべての階調で測定されていない場合（Ｓ５７：ＮＯ）、入力階調ｉに１を加算して（Ｓ５８）、ステップＳ５４に処理を戻す。ＣＰＵ５１は、すべての階調で発光強度が測定されるまでステップＳ５４〜Ｓ５８の処理を繰り返し、これにより、図１１に示したように、高ブライトネスにおけるスイングセンサ３０の測定値及び外部光センサ４０の測定値の相関情報が相関テーブル６４に記憶される。すべての階調で発光強度が測定された場合（Ｓ５７：ＹＥＳ）、ＣＰＵ５１は、予め定められたブライトネスのうちで中間のブライトネス（中ブライトネス）に対しても同様に発光強度の測定が行われたか否かを判断する（Ｓ５９）。
【００９７】
中ブライトネスに対する発光強度の測定がまだ行われていない場合（Ｓ５９：ＮＯ）、ＣＰＵ５１は、液晶表示装置１を制御して、バックライト４の光量を調整し、表示面２のブライトネスを中ブライトネスに設定する（Ｓ６０）。そして、ＣＰＵ５１は、ステップＳ５３に処理を移行し、中ブライトネスについて、ステップＳ５３〜Ｓ５８の処理を繰り返す。これにより、図１１に示したように、中ブライトネスにおけるスイングセンサ３０の測定値及び外部光センサ４０の測定値の相関情報が相関テーブル６４に記憶される。
【００９８】
中ブライトネスに対する発光強度の測定が行われた場合（Ｓ５９：ＹＥＳ）、ＣＰＵ５１は、予め定められたブライトネスのうちで最も低いブライトネス（低ブライトネス）に対しても同様に発光強度の測定が行われたか否かを判断する（Ｓ６１）。低ブライトネスに対する発光強度の測定がまだ行われていない場合（Ｓ６１：ＮＯ）、ＣＰＵ５１は、液晶表示装置１を制御して、バックライト４の光量を調整し、表示面２のブライトネスを低ブライトネスに設定する（Ｓ６２）。そして、ＣＰＵ５１は、ステップＳ５３に処理を移行し、低ブライトネスについて、ステップＳ５３〜Ｓ５８の処理を繰り返す。これにより、図１１に示したように、低ブライトネスにおけるスイングセンサ３０の測定値及び外部光センサ４０の測定値の相関情報が相関テーブル６４に記憶される。
【００９９】
低ブライトネスに対する発光強度の測定が行われた場合（Ｓ６１：ＹＥＳ）、ＣＰＵ５１は、スイングセンサ３０の移動部３１を収容部３２に収容する処理、液晶パネル３の表示を元に戻す処理、ブライトネス設定を元に戻す処理、及び外部光センサ４０の取り外しを促すメッセージを表示する処理等を含む終了処理を行って（Ｓ６３）、処理を終了する。上述したコレレーション処理により、図６に示すような相関情報が相関テーブル６４に記憶される。なお、図６に示した相関情報は、高ブライトネスにおける一例である。
【０１００】
次に、本実施形態２のＰＣ５０が行うキャリブレーション処理について説明する。上述したコレレーション処理により相関テーブル６４が適切に更新され、このような相関テーブル６４をキャリブレーション処理の際に用いることによって、スイングセンサ３０が検出した表示面２の周辺部の発光強度から中央部の発光強度を精度良く取得することができる。図１４及び図１５はキャリブレーション処理の手順を示すフローチャートである。
【０１０１】
上述したコレレーション処理によって更新された相関テーブル６４を記憶部６０に記憶しているＰＣ５０において、ＣＰＵ５１は、スイングセンサ３０を起動し（Ｓ７１）、光センサ３３が表示面２の周辺部に対向するように移動部３１を移動させる。
【０１０２】
ＣＰＵ５１は、液晶表示装置１に表示させる映像信号の入力階調（階調レベル）を２５５に設定し（Ｓ７３）、このときの表示面２の周辺部の発光強度をスイングセンサ３０にて検出し、スイングセンサ３０の測定値を取得する（Ｓ７４）。ＣＰＵ５１は、スイングセンサ３０の測定値に基づいて、相関テーブル６４に記憶してある高ブライトネスの相関情報、中ブライトネスの相関情報、低ブライトネスの相関情報のいずれかを選択する（Ｓ７５）。具体的には、ＣＰＵ５１は、高ブライトネス、中ブライトネス、低ブライトネスのそれぞれの相関情報における階調レベル２５５に対するスイングセンサ３０の測定値のうちで、ステップＳ７４で取得した測定値に最も近い測定値を選択し、選択した測定値のブライトネスの相関情報を選択する。これにより、３段階のブライトネスのそれぞれに対して生成した相関情報から、現在のブライトネスに最適な相関情報を選択することができる。
【０１０３】
ＣＰＵ５１は、液晶表示装置１に表示させる映像信号の入力階調（階調レベル）ｉを０に設定し（Ｓ７６）、このときの表示面２の周辺部の発光強度をスイングセンサ３０にて検出し、スイングセンサ３０の測定値を取得する（Ｓ７７）。ＣＰＵ５１は、取得したスイングセンサ３０の測定値、即ち、このときの表示面２の周辺部の発光強度に対応する、表示面２の中央部の発光強度を、ステップＳ７５で選択された相関情報から取得する（Ｓ７８）。具体的には、ＣＰＵ５１は、ステップＳ７５で選択された相関情報に含まれるスイングセンサ３０の測定値から、ステップＳ７７で取得したスイングセンサ３０の測定値に最も近い測定値を検索し、検索したスイングセンサ３０の測定値に対応する外部光センサ４０の測定値を読み出す。ＣＰＵ５１は、取得した中央部の発光強度を階調レベルと対応付けて記憶部６０に記憶する（Ｓ７９）。
【０１０４】
ＣＰＵ５１は、すべての階調（例えば、階調レベルが０〜２５５）に対して発光強度が測定されたか否かを判断し（Ｓ８０）、すべての階調で測定されていない場合（Ｓ８０：ＮＯ）、入力階調ｉに１を加算して（Ｓ８１）、ステップＳ７７に処理を戻す。ＣＰＵ５１は、すべての階調で発光強度が測定されるまでステップＳ７７〜Ｓ８１の処理を繰り返す。すべての階調で発光強度が測定された場合（Ｓ８０：ＹＥＳ）、ＣＰＵ５１は、記憶部６０に記憶された理想階調特性テーブル６２を読み出して（Ｓ８２）、ステップＳ７９で記憶部６０に記憶した全階調レベルについての表示面２の中央部の発光強度と理想階調特性テーブル６２の階調特性とを基にＬＵＴ６ａの更新処理を行う（Ｓ８３）。なお、ＬＵＴ６ａの更新処理は、図１０に基づいて説明した処理と同一である。
【０１０５】
ＬＵＴ６ａの更新処理が終了した後、ＣＰＵ５１は、スイングセンサ３０の移動部３１を収容部３２に収容する処理、及び液晶パネル３の表示を元に戻す処理等を含む終了処理を行って（Ｓ８４）、キャリブレーション処理を終了する。
【０１０６】
上述したように、本実施形態２では、コレレーション処理により、液晶パネル３の表示面２の中央部の発光強度と周辺部の発光強度との相関情報を階調レベル０〜２５５の各階調レベル毎に予め相関テーブル６４に記憶しておく。そして、各階調レベル毎に表示面２の周辺部の発光強度を検出し、検出した周辺部の発光強度と予め記憶してある相関情報とに基づいて、各階調レベルにおける表示面２の中央部の発光強度を算出する。相関テーブル６４の入力及び出力が共に発光強度であるので、階調レベルに依存することなく表示面２の中央部の発光強度の測定が可能である。従って、カラーバランス調整などにおける各種の補正量が変更された場合であっても、相関テーブル６４を変更することなく、いずれの階調レベルにおいても表示面２の中央部の発光強度を精度よく測定できる。
【０１０７】
また、キャリブレーション処理を行う場合は、精度よく算出された発光強度に基づいて、液晶パネル３の発光強度を所要の発光強度に調整することにより、階調レベルの大小にかかわらず、所要の階調特性を得ることができ、階調レベルの影響を受けずに精度良くキャリブレーションを行うことができる。なお、相関テーブル６４とスイングセンサ３０の測定値とに基づいて表示面２の中央部の発光強度を算出するので、液晶パネル３の表示面２の中央部に外部光センサ４０を取り付ける作業を行うことなく、表示面２の中央部の発光強度を精度よく測定できる。
【０１０８】
また、液晶パネル３の表示面２の中央部の発光強度と周辺部の発光強度との相関情報を、異なるブライトネス毎に予め記憶しておき、ユーザの所望のブライトネスに応じた相関情報を選択し、選択した相関情報と、表示面２の周辺部の発光強度とに基づいて、設定された所望のブライトネスにおける表示面２の中央部の発光強度を算出する。よって、ブライトネスの高低にかかわらず、表示面２の中央部の発光強度の測定が可能であるので、ユーザがいかなるブライトネスで使用した場合であっても、又はバックライト４に経年変化がある場合であっても、表示面２の中央部の発光強度を精度よく測定できる。キャリブレーション処理を行う場合は、精度よく算出された発光強度に基づいて、液晶パネル３の発光強度を所要の発光強度に調整することにより、ブライトネスの高低にかかわらず、所要の階調特性を実現でき、ブライトネスの影響を受けずに精度良くキャリブレーションを行うことができる。
【０１０９】
また、外部光センサ４０を用いて相関テーブル６４を更新することができるため、経年変化などにより液晶パネル３又はバックライト４等の特性が変化し、表示面２での表示特性が変化した場合であっても、液晶表示装置１の表示品質を高度に保つことができる。
【０１１０】
本実施形態２では、高ブライトネス、中ブライトネス、低ブライトネスの３つのブライトネスに対応する相関情報が相関テーブル６４に格納してある構成であったが、ブライトネスの数は、これに限定されるものではない。例えば、液晶表示装置１が採り得る可能性のあるすべてのブライトネスに対応する相関情報を生成して相関テーブル６４に格納しておいてもよい。これにより、キャリブレーション処理時のブライトネスに最適な相関情報を用いてキャリブレーションを行うことができるので、より高精度のキャリブレーションが可能となる。
【０１１１】
上述した実施形態１，２では相関テーブル６４の更新（コレレーション処理）はキャリブレーションプログラム６１が行う構成としたが、これに限るものではなく、専用の別のプログラムが行ってもよい。また、実施形態１，２では、キャリブレーション処理及びコレレーション処理等をＰＣ５０が行う構成としたが、これに限るものではなく、液晶表示装置１がこれらの処理の一部又は全部を行ってもよく、スイングセンサ３０がこれらの処理を行ってもよい。
【０１１２】
図１６は実施形態１，２の変形例に係る液晶表示装置１０１の構成を示すブロック図である。変形例に係る液晶表示装置１０１は、図２に示した液晶表示装置１の各部に加えて、スイングセンサ３０を接続するＩ／Ｆ部５４と、外部光センサ４０を接続するＩ／Ｆ部５５と、これらの動作を制御する制御部１０５とを備える。また、記憶部６は、ＬＵＴ６ａのほかに、キャリブレーションプログラム６１、理想階調特性テーブル６２及び相関テーブル６４等を記憶する。
【０１１３】
このような構成により、液晶表示装置１０１は、ＰＣ１５０から与えられる映像信号の階調レベルをＬＵＴ６ａにより液晶パネル３に適した階調レベルに変換して映像を表示する処理を行うと共に、上述のコレレーション処理（相関テーブル６４の更新処理）及びキャリブレーション処理等を行うことができる。このように、コレレーション処理及びキャリブレーション処理等をＰＣ１５０が行うのではなく、液晶表示装置１０１が自ら行う構成とすることもできる。
【０１１４】
また、実施形態１，２では、スイングセンサ３０を液晶表示装置１とは別の装置とし、スイングセンサ３０を液晶表示装置１に取り付けて検出を行う構成としたが、これに限るものではなく、スイングセンサ３０を液晶表示装置１に内蔵する構成としてもよい。図１７は図１６に示した構成の液晶表示装置１０１の変形例を示すブロック図である。図１７に示す液晶表示装置１０１は、図１６に示した液晶表示装置１０１において、Ｉ／Ｆ部５４の代わりに、モータ駆動部３５及びＤＣモータ３４を備える。また、光センサ３３が取り付けられた移動部３１が、例えば、液晶パネル３の上側ベゼル部に設けられている。そして、ＤＣモータ３４は、モータ駆動部３５の駆動により移動部３１をベゼル部から表示面２の周辺部の適宜位置まで移動させることにより、移動部３１に取り付けられた光センサ３３にて、表示面２の周辺部の発光強度を検知することが可能である。
【０１１５】
なお、図１７では、記憶部６に格納してある情報の図示を省略しているが、図１６に示した構成と同様に、記憶部６は、ＬＵＴ６ａ、キャリブレーションプログラム６１、理想階調特性テーブル６２、相関テーブル６４などを記憶している。また、スイングセンサ３０を液晶表示装置１に内蔵する構成としては、図１７に示す構成に限られず、図２に示した構成の液晶表示装置１にスイングセンサ３０が内蔵されていてもよい。
【０１１６】
実施形態１，２では、ＰＣ５０がキャリブレーション処理を行うことによって逐次更新されるＬＵＴ６ａを逐次液晶表示装置１に出力しておき、ＬＵＴ６ａに基づく階調特性変換を液晶表示装置１で行う構成であった。しかし、ＰＣ５０が、記憶部６０にＬＵＴ６ａを記憶し、映像データの各画素の階調レベルを、ＬＵＴ６ａを基に液晶パネル３への最適な入力レベルに変換した後に、映像信号として信号出力部５６から液晶表示装置１へ出力してもよい。
【０１１７】
実施形態１，２では、キャリブレーション時に、液晶表示装置１で表示させる映像の階調値を２５５に設定し、このときの表示面２の周辺部の発光強度をスイングセンサ３０によって検出し、得られた発光強度と、相関テーブル６４に格納してある各相関情報の階調値２５５に対応するスイングセンサ３０の測定値とに基づいて、このときのブライトネスに適切な相関情報を生成又は選択していた。このような構成のほかに、例えば、液晶表示装置１から現在のブライトネスの情報を取得し、取得したブライトネスに適切な相関情報を生成又は選択してもよい。なお、ブライトネスの情報としては、例えば、ユーザによって調整されたブライトネスを示すブライトネス値、バックライト駆動部１０がバックライト４に与える出力電圧値等が利用できる。
【０１１８】
実施形態１，２では、階調値の総数である階調数が２５６の場合について説明したが、階調数は、これに限定されるものではなく、他の階調数を用いることもできる。例えば、２５６階調のうち、測定又はコレレーションは５０ポイントだけ行ない、その間の階調については補間処理で取得するようにしてもよい。
【符号の説明】
【０１１９】
１  液晶表示装置
２  表示面
３  液晶パネル（表示パネル）
４  バックライト
６  記憶部
６ａ  ＬＵＴ
３０  スイングセンサ
４０  外部光センサ
５０  ＰＣ（発光強度測定装置）
５１  ＣＰＵ（取得部、算出部、変更部、選択部）
６１  キャリブレーションプログラム
６４  相関テーブル（記憶部）
【図１】
2011048100.tif 000003
【図２】
2011048100.tif 000004
【図３】
2011048100.tif 000005
【図４】
2011048100.tif 000006
【図５】
2011048100.tif 000007
【図６】
2011048100.tif 000008
【図７】
2011048100.tif 000009
【図８】
2011048100.tif 000010
【図９】
2011048100.tif 000011
【図１０】
2011048100.tif 000012
【図１１】
2011048100.tif 000013
【図１２】
2011048100.tif 000014
【図１３】
2011048100.tif 000015
【図１４】
2011048100.tif 000016
【図１５】
2011048100.tif 000017
【図１６】
2011048100.tif 000018
【図１７】
2011048100.tif 000019